(57)【要約】【課題】ユーザーの利便性を確保しつつ、生産性の低減を抑制することが可能な画像検査装置、画像検査方法及びプログラムを提供する。【解決手段】用紙に画像を形成する画像形成装置１０から出力された用紙を光学的に読み取る画像読取部３２から読み取り画像を取り込む取込部（画像検査制御部３１）と、基準画像と、取込部で取り込んだ、基準画像に対応する画像が形成された検査対象の用紙を画像読取部３２で読み取って得た検査画像と、を比較して、検査画像を検査する画像検査部（画像検査制御部３１）と、画像検査部による検査処理が所定時間より遅延した場合のリスタート方法として、生産性に係る複数のモードを選択可能に提示するモード制御部（画像検査制御部３１）と、を備える。【選択図】図２
2020185759.tif 000002
【特許請求の範囲】
【請求項１】
用紙に画像を形成する画像形成装置から出力された用紙を光学的に読み取る画像読取部から読み取り画像を取り込む取込部と、
基準画像と、前記取込部で取り込んだ、前記基準画像に対応する画像が形成された検査対象の用紙を前記画像読取部で読み取って得た検査画像と、を比較して、前記検査画像を検査する画像検査部と、
前記画像検査部による検査処理が所定時間より遅延した場合のリスタート方法として、生産性に係る複数のモードを選択可能に提示するモード制御部と、
を備えることを特徴とする画像検査装置。
【請求項２】
前記モード制御部は、前記モードとして、再印刷の際に以降の全ての用紙の搬送速度を遅らせるモードを提示することを特徴とする請求項１に記載の画像検査装置。
【請求項３】
前記モード制御部は、前記モードとして、再印刷の際に遅延が発生したページと同じページの用紙のみ搬送速度を遅らせるモードを提示することを特徴とする請求項１又は２に記載の画像検査装置。
【請求項４】
前記モード制御部は、前記モードとして、再印刷の際に自動検品をオフにするモードを提示することを特徴とする請求項１〜３のいずれか一項に記載の画像検査装置。
【請求項５】
前記モード制御部は、前記モードとして、再印刷の際に遅延が発生したページと同じページの用紙のみ自動検品をオフにするモードを提示することを特徴とする請求項１〜４のいずれか一項に記載の画像検査装置。
【請求項６】
前記モード制御部は、前記モードとして、ジョブを中止して実行中のジョブを消去するモードを提示することを特徴とする請求項１〜５のいずれか一項に記載の画像検査装置。
【請求項７】
前記モード制御部は、ジョブ開始前までに前記複数のモードを絞り込むための設定が行われている場合は、前記設定により絞り込まれたモードのみを提示することを特徴とする請求項１〜６のいずれか一項に記載の画像検査装置。
【請求項８】
前記モード制御部は、ジョブの最終紙で遅延を検知した場合、再印刷の際に以降の全ての用紙の搬送速度を遅らせるモード及び再印刷の際に自動検品をオフにするモードを提示しないことを特徴とする請求項１〜７のいずれか一項に記載の画像検査装置。
【請求項９】
前記モード制御部は、前記リスタート方法を提示する際に、用紙の搬送速度を遅らせた場合のジョブ完了に掛かる目安時間を併せて提示することを特徴とする請求項１〜８のいずれか一項に記載の画像検査装置。
【請求項１０】
前記モード制御部は、用紙の搬送速度を遅らせた場合に、遅延時間をジョブのスケジュールに反映することを特徴とする請求項１〜９のいずれか一項に記載の画像検査装置。
【請求項１１】
前記モード制御部は、自動検品をオフにした場合に、検査レポートの作成有無を選択可能に提示することを特徴とする請求項１〜１０のいずれか一項に記載の画像検査装置。
【請求項１２】
前記モード制御部は、前記検査レポートの作成が選択された場合に、前記自動検品をオフにした後に出力された用紙の読み取り画像を含めた検査レポートを作成するか否かを選択可能に提示することを特徴とする請求項１１に記載の画像検査装置。
【請求項１３】
前記モード制御部は、遅延を検知した後に自動でリスタートするモードが設定されている場合に、前記複数のモードのうちいずれのモードでリスタートするのか、を予め選択可能に提示することを特徴とする請求項１〜１２のいずれか一項に記載の画像検査装置。
【請求項１４】
前記モード制御部は、用紙の搬送速度を遅らせる場合、実際の遅延時間を計算し、リスタートする際に前記遅延時間の分だけ用紙の搬送速度を遅らせることを特徴とする請求項１〜１３のいずれか一項に記載の画像検査装置。
【請求項１５】
前記モード制御部は、前記検査処理が遅延してジョブが中止された場合、前記ジョブが中止されたことを記憶し、再度前記中止されたジョブが印刷される際に、前記ジョブが過去に中止されたことを通知することを特徴とする請求項１〜１４のいずれか一項に記載の画像検査装置。
【請求項１６】
画像検査装置の画像検査方法であって、
用紙に画像を形成する画像形成装置から出力された用紙を光学的に読み取る画像読取部から読み取り画像を取り込む取込工程と、
基準画像と、前記取込工程で取り込んだ、前記基準画像に対応する画像が形成された検査対象の用紙を前記画像読取部で読み取って得た検査画像と、を比較して、前記検査画像を検査する画像検査工程と、
前記画像検査工程における検査処理が所定時間より遅延した場合のリスタート方法として、生産性に係る複数のモードを選択可能に提示するモード制御工程と、
を含む画像検査方法。
【請求項１７】
コンピュータを、
用紙に画像を形成する画像形成装置から出力された用紙を光学的に読み取る画像読取部から読み取り画像を取り込む取込部、
基準画像と、前記取込部で取り込んだ、前記基準画像に対応する画像が形成された検査対象の用紙を前記画像読取部で読み取って得た検査画像と、を比較して、前記検査画像を検査する画像検査部、
前記画像検査部による検査処理が所定時間より遅延した場合のリスタート方法として、生産性に係る複数のモードを選択可能に提示するモード制御部、
として機能させるためのプログラム。
【発明の詳細な説明】
【技術分野】
【０００１】
本発明は、画像検査装置、画像検査方法及びプログラムに関する。
【背景技術】
【０００２】
通常、大量印刷を行う際には、何度か試し刷りを行って各種の調整を行い、見本（プルーフ）により印刷内容に問題がないことが確認できた場合に本印刷を開始する。しかしながら、本印刷された用紙の画像に、何らかの要因で見本に対して色ズレや歪みが生じることがある。そこで、近年では、画像形成装置の後段の搬送路上にスキャナーを設けるようにし、印刷出力される各用紙の画像をスキャナーで読み取って検査することが行われている。この検査では、見本を印刷出力する際にスキャナーで読み取った画像を基準画像（参照用画像データ）として保存しておき、本印刷で印刷した用紙をスキャナーで読み取った画像（検査画像）と、保存してある基準画像と、を比較／解析して、異常個所を検知する。
【０００３】
しかしながら、上記従来の検査では、画像内のエッジ部分を検出して比較／解析を行うため、画像が複雑になると処理に時間が掛かり、解析遅延が発生してエラーとなってしまうケースがある。また、画像の種類だけでなく、検査する項目の数が多くなった場合や他の動作でＣＰＵを使用している場合などでも、解析に時間が掛かるため、エラーとなってしまうケースもある。
【０００４】
そこで、検査時間と用紙の搬送速度を比較し、搬送速度に追従して検査が実施できないと判定した場合はその旨をユーザーに通知して、用紙の搬送速度を下げる構成が開示されている（例えば、特許文献１参照）。
【先行技術文献】
【特許文献】
【０００５】
【特許文献１】特開２０１５−１０９６５３号公報
【発明の概要】
【発明が解決しようとする課題】
【０００６】
しかしながら、上記特許文献１記載の構成では、解析が間に合わない場合、常に生産性が下がってしまうため、ユーザーの利便性が悪いという問題があった。
【０００７】
本発明は、ユーザーの利便性を確保しつつ、生産性の低減を抑制することが可能な画像検査装置、画像検査方法及びプログラムを提供することを目的とする。
【課題を解決するための手段】
【０００８】
請求項１に記載の発明は、上記目的を達成するためになされたものであり、
画像検査装置において、
用紙に画像を形成する画像形成装置から出力された用紙を光学的に読み取る画像読取部から読み取り画像を取り込む取込部と、
基準画像と、前記取込部で取り込んだ、前記基準画像に対応する画像が形成された検査対象の用紙を前記画像読取部で読み取って得た検査画像と、を比較して、前記検査画像を検査する画像検査部と、
前記画像検査部による検査処理が所定時間より遅延した場合のリスタート方法として、生産性に係る複数のモードを選択可能に提示するモード制御部と、
を備えることを特徴とする。
【０００９】
請求項２に記載の発明は、請求項１に記載の画像検査装置において、
前記モード制御部は、前記モードとして、再印刷の際に以降の全ての用紙の搬送速度を遅らせるモードを提示することを特徴とする。
【００１０】
請求項３に記載の発明は、請求項１又は２に記載の画像検査装置において、
前記モード制御部は、前記モードとして、再印刷の際に遅延が発生したページと同じページの用紙のみ搬送速度を遅らせるモードを提示することを特徴とする。
【００１１】
請求項４に記載の発明は、請求項１〜３のいずれか一項に記載の画像検査装置において、
前記モード制御部は、前記モードとして、再印刷の際に自動検品をオフにするモードを提示することを特徴とする。
【００１２】
請求項５に記載の発明は、請求項１〜４のいずれか一項に記載の画像検査装置において、
前記モード制御部は、前記モードとして、再印刷の際に遅延が発生したページと同じページの用紙のみ自動検品をオフにするモードを提示することを特徴とする。
【００１３】
請求項６に記載の発明は、請求項１〜５のいずれか一項に記載の画像検査装置において、
前記モード制御部は、前記モードとして、ジョブを中止して実行中のジョブを消去するモードを提示することを特徴とする。
【００１４】
請求項７に記載の発明は、請求項１〜６のいずれか一項に記載の画像検査装置において、
前記モード制御部は、ジョブ開始前までに前記複数のモードを絞り込むための設定が行われている場合は、前記設定により絞り込まれたモードのみを提示することを特徴とする。
【００１５】
請求項８に記載の発明は、請求項１〜７のいずれか一項に記載の画像検査装置において、
前記モード制御部は、ジョブの最終紙で遅延を検知した場合、再印刷の際に以降の全ての用紙の搬送速度を遅らせるモード及び再印刷の際に自動検品をオフにするモードを提示しないことを特徴とする。
【００１６】
請求項９に記載の発明は、請求項１〜８のいずれか一項に記載の画像検査装置において、
前記モード制御部は、前記リスタート方法を提示する際に、用紙の搬送速度を遅らせた場合のジョブ完了に掛かる目安時間を併せて提示することを特徴とする。
【００１７】
請求項１０に記載の発明は、請求項１〜９のいずれか一項に記載の画像検査装置において、
前記モード制御部は、用紙の搬送速度を遅らせた場合に、遅延時間をジョブのスケジュールに反映することを特徴とする。
【００１８】
請求項１１に記載の発明は、請求項１〜１０のいずれか一項に記載の画像検査装置において、
前記モード制御部は、自動検品をオフにした場合に、検査レポートの作成有無を選択可能に提示することを特徴とする。
【００１９】
請求項１２に記載の発明は、請求項１１に記載の画像検査装置において、
前記モード制御部は、前記検査レポートの作成が選択された場合に、前記自動検品をオフにした後に出力された用紙の読み取り画像を含めた検査レポートを作成するか否かを選択可能に提示することを特徴とする。
【００２０】
請求項１３に記載の発明は、請求項１〜１２のいずれか一項に記載の画像検査装置において、
前記モード制御部は、遅延を検知した後に自動でリスタートするモードが設定されている場合に、前記複数のモードのうちいずれのモードでリスタートするのか、を予め選択可能に提示することを特徴とする。
【００２１】
請求項１４に記載の発明は、請求項１〜１３のいずれか一項に記載の画像検査装置において、
前記モード制御部は、用紙の搬送速度を遅らせる場合、実際の遅延時間を計算し、リスタートする際に前記遅延時間の分だけ用紙の搬送速度を遅らせることを特徴とする。
【００２２】
請求項１５に記載の発明は、請求項１〜１４のいずれか一項に記載の画像検査装置において、
前記モード制御部は、前記検査処理が遅延してジョブが中止された場合、前記ジョブが中止されたことを記憶し、再度前記中止されたジョブが印刷される際に、前記ジョブが過去に中止されたことを通知することを特徴とする。
【００２３】
請求項１６に記載の発明は、
画像検査装置の画像検査方法であって、
用紙に画像を形成する画像形成装置から出力された用紙を光学的に読み取る画像読取部から読み取り画像を取り込む取込工程と、
基準画像と、前記取込工程で取り込んだ、前記基準画像に対応する画像が形成された検査対象の用紙を前記画像読取部で読み取って得た検査画像と、を比較して、前記検査画像を検査する画像検査工程と、
前記画像検査工程における検査処理が所定時間より遅延した場合のリスタート方法として、生産性に係る複数のモードを選択可能に提示するモード制御工程と、
を含む画像検査方法である。
【００２４】
請求項１７に記載の発明は、
コンピュータを、
用紙に画像を形成する画像形成装置から出力された用紙を光学的に読み取る画像読取部から読み取り画像を取り込む取込部、
基準画像と、前記取込部で取り込んだ、前記基準画像に対応する画像が形成された検査対象の用紙を前記画像読取部で読み取って得た検査画像と、を比較して、前記検査画像を検査する画像検査部、
前記画像検査部による検査処理が所定時間より遅延した場合のリスタート方法として、生産性に係る複数のモードを選択可能に提示するモード制御部、
として機能させるためのプログラムである。
【発明の効果】
【００２５】
本発明によれば、ユーザーの利便性を確保しつつ、生産性の低減を抑制することができる。
【図面の簡単な説明】
【００２６】
【図１】本実施形態に係る画像形成システムの概略構成を示す図である。
【図２】本実施形態に係る画像形成システムの制御構造を示す機能ブロック図である。
【図３】本実施形態に係る画像形成システムの動作の一例を示すフローチャートである。
【図４】再印刷時のモードを選択させるためのモード選択画面の一例を示す図である。
【図５】ジョブのスケジュール画面の一例を示す図である。
【発明を実施するための形態】
【００２７】
以下、本発明の実施の形態について、図面を参照して詳細に説明する。
【００２８】
［１．構成の説明］
本実施形態に係る画像形成システム１は、図１に示すように、外部装置（図示省略）から印刷データを受信し、当該印刷データに基づいて用紙に画像を形成（印刷）して出力する画像形成装置１０と、画像形成装置１０の後段に接続されたリレーユニット２０と、リレーユニット２０の後段に接続され、用紙ごとに印刷画像が正常か否かを検査する画像検査装置３０と、画像検査装置３０の後段に接続されたパージユニット４０と、を備えて構成されている。
【００２９】
画像形成装置１０は、図１及び図２に示すように、制御部１１と、原稿読取部１２と、画像形成部１３と、記憶部１４と、操作部１５と、表示部１６と、通信部１７と、を備えて構成されている。
【００３０】
制御部１１は、ＣＰＵ、ＲＡＭ、ＲＯＭ等を備えて構成される。ＣＰＵは、操作部１５から入力される操作信号又は通信部１７により受信される指示信号に応じて、ＲＯＭに記憶されている各種処理プログラムを読み出してＲＡＭに展開し、ＲＡＭに展開した各種プログラムとの協働により、画像形成装置１０の動作を統括的に制御する。
【００３１】
原稿読取部１２は、原稿台又は自動原稿搬送部（ＡＤＦ:Auto Document Feeder）に載置された原稿の画像を走査露光装置の光学系により走査露光し、その反射光をラインイメージセンサーにより読み取り、これにより、画像信号を得る。この画像信号は、Ａ／Ｄ変換、シェーディング補正、圧縮等の処理が施された後、画像データとして制御部１１に入力される。なお、制御部１１に入力される画像データとしては、原稿読取部１２で読み取ったものに限らず、例えば、通信部１７を介して外部装置（図示省略）から受信したものであってもよい。
【００３２】
画像形成部１３は、画像処理された原画像の各画素の４色の画素値に応じて、Ｃ、Ｍ、Ｙ及びＫの４色からなる画像を用紙上に形成する。
画像形成部１３は、４つの書込みユニット１３１、中間転写ベルト１３２、２次転写ローラー１３３、定着装置１３４等を備えて構成されている。
【００３３】
４つの書込みユニット１３１は、中間転写ベルト１３２のベルト面に沿って直列（タンデム）に配置され、Ｃ、Ｍ、Ｙ及びＫの各色の画像を形成する。各書込みユニット１３１は、形成する画像の色が異なるだけで構成は同じであり、光走査装置１３１ａ、感光体１３１ｂ、現像部１３１ｃ、帯電部１３１ｄ、クリーニング部１３１ｅ及び１次転写ローラー１３１ｆを備えて構成されている。
【００３４】
画像形成時、各書込みユニット１３１では、帯電部１３１ｄにより感光体１３１ｂを帯電させた後、原画像に基づいて光走査装置１３１ａにより出射した光束で感光体１３１ｂ上を走査し、静電潜像を形成する。現像部１３１ｃによりトナー等の色材を供給して現像すると、感光体１３１ｂ上に画像が形成される。
４つの書込みユニット１３１の感光体１３１ｂ上にそれぞれ形成した画像を、それぞれの１次転写ローラー１３１ｆにより、中間転写ベルト１３２上に順次重ねて転写（１次転写）する。これにより、中間転写ベルト１３２上には各色からなる画像が形成される。中間転写ベルト１３２は、複数のローラーに巻き回されて回動する像担持体である。１次転写後、クリーニング部１３１ｅにより感光体１３１ｂ上に残留する色材を除去する。
【００３５】
画像形成部１３では、回動する中間転写ベルト１３２上の画像が２次転写ローラー１３３の位置に至るタイミングに合わせて、給紙トレイ１３５から用紙を給紙する。２次転写ローラー１３３は、対をなす一方のローラーが中間転写ベルト１３２に圧接し、他方が中間転写ベルト１３２を巻き回す複数のローラーのうちの１つを構成している。２次転写ローラー１３３の圧接により、中間転写ベルト１３２から用紙上に画像を転写（２次転写）すると、定着装置１３４に用紙を搬送して定着処理を施し、リレーユニット２０へ搬送する。定着処理は、定着ローラーにより用紙を加熱及び加圧して画像を用紙に定着させる処理である。用紙の両面に画像を形成する場合、反転経路１３６に用紙を搬送して用紙面を反転させた後、２次転写ローラー１３３の位置へ再度用紙を給紙する。
【００３６】
記憶部１４は、ＨＤＤ（Hard Disk Drive）、ＳＳＤ（Solid State Drive）等により構成される不揮発性の記憶手段であり、各種プログラムや各種設定データ等を制御部１１から読み書き可能に記憶する。
【００３７】
操作部１５は、表示部１６の画面上に設けられるタッチパネルと、表示部１６の画面周囲に配置される各種ハードキーと、を備えて構成され、ユーザーによる操作入力を受け付ける。操作部１５は、画面上に表示されたボタンが手指やタッチペン等で押下された場合、押下された力点のＸＹ座標を電圧値で検出し、検出された位置に対応付けられた操作信号を制御部１１に出力する。なお、タッチパネルは感圧式に限らず、例えば静電式や光式等であってもよい。また、操作部１５は、ハードキーが押下された場合、押下されたキーに対応付けられた操作信号を制御部１１に出力する。ユーザーは、操作部１５を操作して、画質設定、倍率設定、応用設定、出力設定及び用紙設定等の画像形成に関する設定、用紙搬送指示、並びに装置の停止操作などを行うことができる。
【００３８】
表示部１６は、カラー液晶ディスプレイなどで構成され、ユーザーに対して各種情報を表示する。表示部１６は、制御部１１から入力される表示制御信号に従って、操作画面等（各種設定画面、各種ボタン、各機能の動作状況等）を表示する。
【００３９】
通信部１７は、画像形成装置１０を通信ネットワークに接続するインターフェースである。通信部１７は、通信用ＩＣ及び通信コネクタなどを有し、制御部１１の制御の下、所定の通信プロトコルを用いて通信ネットワークに接続されている外部装置と各種情報の送受信を行う。また、通信部１７は、ＵＳＢを介して各種情報の入出力を行うことも可能である。
【００４０】
リレーユニット２０は、画像形成装置１０から出力された用紙をさらに後段の装置（ここでは画像検査装置３０）に中継搬送する。リレーユニット２０は、画像形成装置１０から搬送されてくる用紙の搬送スピードと同期をとる機能を備える。
【００４１】
画像検査装置３０は、図１及び図２に示すように、画像検査制御部３１と、画像読取部３２と、記憶部３３と、を備えて構成されている。
【００４２】
画像検査制御部３１は、用紙に画像を形成する画像形成装置１０から出力された用紙を光学的に読み取る画像読取部３２から読み取り画像（画像データ）を取り込む取込部、及び、基準画像と、取込部で取り込んだ、基準画像に対応する画像（基準画像と略同一の画像）が形成された検査対象の用紙を画像読取部３２で読み取って得た検査画像と、を比較して、検査画像を検査する画像検査部として機能する。画像検査制御部３１は、ＣＰＵや記憶部を備えており、記憶部に保存されているプログラムをＣＰＵが読み出して実行することで、取込部及び画像検査部の機能が実現される。
画像検査制御部３１は、画像読取部３２により読み取られた画像（検査画像）と基準画像とを比較／解析して、検査画像が正常か否かを検査する。画像検査制御部３１は、上記比較／解析に遅延が発生した場合、遅延が発生した起因紙及びそのとき機内に残っている用紙（後続紙）を印刷に使用していないトレイ（パージトレイＴ２）にパージさせる。画像検査制御部３１は、用紙のパージが完了した後、機械設定に応じて、印刷を一時停止させる又は自動で起因紙から再印刷を開始（リスタート）させる。
また、画像検査制御部３１は、画像検査部による検査処理が所定時間より遅延した場合のリスタート方法として、生産性に係る複数のモードを選択可能に提示する。すなわち、画像検査制御部３１は、本発明のモード制御部として機能する。
【００４３】
画像読取部３２は、搬送中に用紙の両面をスキャンして当該用紙の両面の画像を光学的に読み取り、その読み取り画像（検査画像）を画像検査制御部３１に出力する。
【００４４】
記憶部３３は、ＨＤＤ、ＳＳＤ等により構成される不揮発性の記憶手段であり、各種プログラムや各種設定データ等を画像検査制御部３１から読み書き可能に記憶する。例えば、記憶部３３は、中止されたジョブを保存ジョブとして記憶する。
【００４５】
パージユニット４０は、画像検査装置３０により印刷画像が正常と判定された用紙を排紙トレイＴ１に排出するとともに、画像検査装置３０により印刷画像が異常と判定された用紙をパージトレイＴ２に排出する。
【００４６】
［２．動作の説明］
次に、本実施形態に係る画像形成システム１（画像検査装置３０）において、解析遅延を検知したときの動作について、図３のフローチャートを参照して説明する。
【００４７】
まず、画像検査装置３０の画像検査制御部３１は、機械設定が一時停止であるか否かを判定する（ステップＳ１０１）。
画像検査制御部３１は、機械設定が一時停止であると判定した場合（ステップＳ１０１：ＹＥＳ）、次のステップＳ１０２へと移行する。
一方、画像検査制御部３１は、機械設定が一時停止でない（すなわち、自動再印刷である）と判定した場合（ステップＳ１０１：ＮＯ）、ステップＳ１０９へと移行する。
【００４８】
次に、画像検査制御部３１は、選択可能なモードが予め設定されているか否かを判定する（ステップＳ１０２）。
画像検査制御部３１は、選択可能なモードが予め設定されていると判定した場合（ステップＳ１０２：ＹＥＳ）、予め設定されている選択肢（モード）のみを画像形成装置１０の表示部１６に表示させる（ステップＳ１０３）。本実施形態では、解析遅延を検知して停止した場合に表示するモードを予め機械設定（ジョブ設定）に設定しておくことができる。画像検査制御部３１は、ジョブ開始前までに複数のモードを絞り込むための設定（機械設定又はジョブ設定）が行われている場合は、設定により絞り込まれたモードのみを提示する。すなわち、解析遅延を検知した場合、設定内容に従い、モード選択画面Ｇ１（図４参照）に表示される選択肢が決定される。なお、モード選択画面Ｇ１に表示させるモードは、操作しているユーザーに応じて変更するようにしてもよい。例えば、管理者の場合は全ての選択肢を選択することができるようにし、一般ユーザーの場合は自動検品をオフする設定を選択できないようにすることなどが考えられる。これは、濫りに設定を変更されることで、印刷後の後工程にて問題を見逃してしまうことを防ぐことを意図している。
一方、画像検査制御部３１は、選択可能なモードが予め設定されていないと判定した場合（ステップＳ１０２：ＮＯ）、全ての選択肢（モード）を画像形成装置１０の表示部１６に表示させる（ステップＳ１０４）。
【００４９】
図４に、再印刷時のモードを選択させるためのモード選択画面Ｇ１の一例を示す。本実施形態では、機械設定が遅延を検知した後に一時停止する設定となっている場合、モード選択画面Ｇ１が表示部１６に表示される。一方、遅延を検知した後に自動でリスタートするモードが設定されている場合、複数のモードのうちいずれのモードでリスタートするのか、が予め選択可能にモード選択画面Ｇ１として提示される。モード選択画面Ｇ１には、選択可能なモードが表示されるようになっており、選択可能なモードが予め設定されている場合は予め設定されている選択肢（モード）のみが表示され、選択可能なモードが予め設定されていない場合は全ての選択肢（モード）が表示されるようになっている。モード選択画面Ｇ１を表示させることで、複数のモードから再印刷する際の動作（又はジョブの中止）を選択させることができる。図４に示す例では、選択可能なモードとして、ジョブを中止して実行中のジョブを消去するモード（中止モードＭ１）、再印刷の際に以降の全ての用紙の搬送速度を遅らせるモード（モード１Ｍ２）、再印刷の際に遅延が発生したページと同じページの用紙のみ搬送速度を遅らせるモード（モード２Ｍ３）、再印刷の際に自動検品（機能）をオフにするモード（モード３Ｍ４）、再印刷の際に遅延が発生したページと同じページの用紙のみ自動検品をオフにするモード（モード４Ｍ５）の５つのモードが提示されている。なお、上記の各モードの他、解析精度を落とすことで解析速度を上げるモードを採用するようにしてもよい。
【００５０】
ここで、画像検査制御部３１は、モード選択画面Ｇ１において、リスタート方法を提示する際に、ジョブ完了に掛かる目安時間を併せて提示する搬送速度を遅らせるモード（モード１Ｍ２又はモード２Ｍ３）が選択された場合のジョブ完了に掛かる目安時間（遅延時間）を併せて提示するようにしてもよい。図４に示す例では、搬送速度を遅らせるモード（モード１Ｍ２、モード２Ｍ３）の右端に、遅延時間を表示させるための遅延時間表示ボタンＢ１が設けられている。上記のように、ジョブ完了までに掛かる時間を表示させることで、ユーザーは搬送速度を遅延させてもよいか否かを判断することができるようになる。なお、用紙の搬送速度を遅らせるモードが選択された場合、更新されたジョブ完了までに掛かる時間（遅延時間）は、ジョブのスケジュール画面Ｇ２（図５参照）にも反映される。また、用紙の搬送速度を遅らせる程度は、実際に解析に遅延した時間に基づいて算出される。すなわち、画像検査制御部３１は、用紙の搬送速度を遅らせる場合、実際の遅延時間を計算し、リスタートする際に遅延時間の分だけ用紙の搬送速度を遅らせる。図５に示す例では、実際の遅延時間を反映したスケジュールバー（ジョブの完了時間を示すバー）ＳＢ１が表示されている。
【００５１】
なお、画像検査制御部３１は、ジョブの最終紙で遅延を検知した場合、用紙の搬送速度を遅らせるモード（再印刷の際に以降の全ての用紙の搬送速度を遅らせるモード（モード１Ｍ２）及び再印刷の際に遅延が発生したページと同じページの用紙のみ搬送速度を遅らせるモード（モード２Ｍ３））を提示しないようにしてもよい。
【００５２】
次に、画像検査制御部３１は、選択されたモードが中止モードであるか否かを判定する（ステップＳ１０５）。
画像検査制御部３１は、選択されたモードが中止モードであると判定した場合（ステップＳ１０５：ＹＥＳ）、次のステップＳ１０６へと移行する。
一方、画像検査制御部３１は、選択されたモードが中止モードでない（すなわち、それ以外のモードである）と判定した場合（ステップＳ１０５：ＮＯ）、ステップＳ１１０へと移行する。
【００５３】
ステップＳ１０６において、画像検査制御部３１は、保存されているジョブ（保存ジョブ）であるか否かを判定する。ここで、保存ジョブとは、過去に中止されたことが記憶部３３に予め記憶されているジョブのことである。
画像検査制御部３１は、保存ジョブであると判定した場合（ステップＳ１０６：ＹＥＳ）、そのまま処理を中止する（ステップＳ１０８）。
一方、画像検査制御部３１は、保存ジョブでないと判定した場合（ステップＳ１０６：ＮＯ）、中止されることを当該ジョブと関連付けて保存ジョブとして記憶部３３に記憶させ（ステップＳ１０７）、処理を中止する（ステップＳ１０８）。特に、ＨＤＤなどの不揮発領域に保存されているジョブの自動検品を実施して解析遅延を検知した場合において、中止モードが選択された場合、中止された情報（ジョブが中止されたこと）を記憶部３３に記憶させる。中止された情報に基づいて保存ジョブが再度印刷される際には、プリント開始前に、過去に中止されているジョブであることが通知される。このように、プリント前に通知が行われることで、予め解析遅延を回避したり、同じ設定で誤って再度印刷することによる用紙の無駄の発生を回避したりすることができる。なお、過去に中止されているジョブであることを通知した後に、モード選択画面Ｇ１を表示させるようにしてもよい。
【００５４】
ステップＳ１０９において、画像検査制御部３１は、モードが予め設定されているか否かを判定する。
画像検査制御部３１は、モードが予め設定されていると判定した場合（ステップＳ１０９：ＹＥＳ）、モード選択画面Ｇ１は表示されずに、次のステップＳ１１０へと移行する。
一方、画像検査制御部３１は、モードが予め設定されていないと判定した場合（ステップＳ１０９：ＹＥＳ）、中止モードが選択され、ステップＳ１０６へと移行する。
【００５５】
ステップＳ１１０において、画像検査制御部３１は、選択されたモードに従って画像形成装置１０の画像形成部１３に再印刷を行わせる。
【００５６】
［３．効果］
以上のように、本実施形態に係る画像検査装置３０は、用紙に画像を形成する画像形成装置１０から出力された用紙を光学的に読み取る画像読取部３２から読み取り画像を取り込む取込部（画像検査制御部３１）と、基準画像と、取込部で取り込んだ、基準画像に対応する画像が形成された検査対象の用紙を画像読取部３２で読み取って得た検査画像と、を比較して、検査画像を検査する画像検査部（画像検査制御部３１）と、画像検査部による検査処理が所定時間より遅延した場合のリスタート方法として、生産性に係る複数のモードを選択可能に提示するモード制御部（画像検査制御部３１）と、を備える。
したがって、本実施形態に係る画像検査装置３０によれば、ユーザーの生産性に係る要望に合わせて適切なモードを選択させることができるので、ユーザーの利便性を確保しつつ、生産性の低減を抑制することができる。
【００５７】
また、本実施形態に係る画像検査装置３０によれば、モード制御部は、モードとして、再印刷の際に以降の全ての用紙の搬送速度を遅らせるモードを提示する。
したがって、本実施形態に係る画像検査装置３０によれば、解析の遅延を避けることができるので、エラー発生によるダウンタイムを低減することができる。
【００５８】
また、本実施形態に係る画像検査装置３０によれば、モード制御部は、モードとして、再印刷の際に遅延が発生したページと同じページの用紙のみ搬送速度を遅らせるモードを提示する。
したがって、本実施形態に係る画像検査装置３０によれば、解析の遅延を最小限度で避けることができるので、生産性の低減を抑制しつつ、エラー発生によるダウンタイムを低減することができる。
【００５９】
また、本実施形態に係る画像検査装置３０によれば、モード制御部は、モードとして、再印刷の際に自動検品をオフにするモードを提示する。
したがって、本実施形態に係る画像検査装置３０によれば、再印刷時のエラーの発生を確実に防ぐことができるので、エラー発生によるダウンタイムを低減することができる。
【００６０】
また、本実施形態に係る画像検査装置３０によれば、モード制御部は、モードとして、再印刷の際に遅延が発生したページと同じページの用紙のみ自動検品をオフにするモードを提示する。
したがって、本実施形態に係る画像検査装置３０によれば、再印刷時のエラーの発生を最小限度で防ぐことができるので、生産性の低減を抑制しつつ、エラー発生によるダウンタイムを低減することができる。
【００６１】
また、本実施形態に係る画像検査装置３０によれば、モード制御部は、モードとして、ジョブを中止して実行中のジョブを消去するモードを提示する。
したがって、本実施形態に係る画像検査装置３０によれば、再印刷時のエラーの発生を確実に防ぐことができるので、エラー発生によるダウンタイムを低減することができる。
【００６２】
また、本実施形態に係る画像検査装置３０によれば、モード制御部は、ジョブ開始前までに複数のモードを絞り込むための設定が行われている場合は、設定により絞り込まれたモードのみを提示する。
したがって、本実施形態に係る画像検査装置３０によれば、濫りに設定を変更されることを抑制することができるので、印刷後の後工程にて問題を見逃してしまうことを防ぐことができる。
【００６３】
また、本実施形態に係る画像検査装置３０によれば、モード制御部は、ジョブの最終紙で遅延を検知した場合、再印刷の際に以降の全ての用紙の搬送速度を遅らせるモード及び再印刷の際に自動検品をオフにするモードを提示しない。
したがって、本実施形態に係る画像検査装置３０によれば、ユーザーの誤操作を抑制することができるので、ユーザーの利便性を向上させることができる。
【００６４】
また、本実施形態に係る画像検査装置３０によれば、モード制御部は、リスタート方法を提示する際に、用紙の搬送速度を遅らせた場合のジョブ完了に掛かる目安時間を併せて提示する。
したがって、本実施形態に係る画像検査装置３０によれば、ユーザーが搬送速度を遅延させてもよいか否かを判断することができるので、ユーザーの利便性を向上させることができる。
【００６５】
また、本実施形態に係る画像検査装置３０によれば、モード制御部は、用紙の搬送速度を遅らせた場合に、遅延時間をジョブのスケジュールに反映する。
したがって、本実施形態に係る画像検査装置３０によれば、ユーザーが搬送速度を遅延させてもよいか否かを判断することができるので、ユーザーの利便性を向上させることができる。
【００６６】
また、本実施形態に係る画像検査装置３０によれば、モード制御部は、遅延を検知した後に自動でリスタートするモードが設定されている場合に、複数のモードのうちいずれのモードでリスタートするのか、を予め選択可能に提示する。
したがって、本実施形態に係る画像検査装置３０によれば、遅延検知後も装置を止めることなく再印刷を開始することができるので、生産性の低減を抑制することができる。
【００６７】
また、本実施形態に係る画像検査装置３０によれば、モード制御部は、用紙の搬送速度を遅らせる場合、実際の遅延時間を計算し、リスタートする際に遅延時間の分だけ用紙の搬送速度を遅らせる。
したがって、本実施形態に係る画像検査装置３０によれば、精度よく用紙の搬送速度を遅らせることができるので、再印刷時のエラーの発生をより確実に防ぐことができる。
【００６８】
また、本実施形態に係る画像検査装置３０によれば、モード制御部は、検査処理が遅延してジョブが中止された場合、ジョブが中止されたことを記憶し、再度中止されたジョブが印刷される際に、ジョブが過去に中止されたことを通知する。
したがって、本実施形態に係る画像検査装置３０によれば、予め解析遅延を回避したり、同じ設定で誤って再度印刷することによる用紙の無駄の発生を回避したりすることができるので、ユーザーの利便性を向上させることができる。
【００６９】
以上、本発明に係る実施形態に基づいて具体的に説明したが、本発明は上記実施形態に限定されるものではなく、その要旨を逸脱しない範囲で変更可能である。
【００７０】
例えば、解析（検査処理）が遅延して自動検品をオフにするモード（モード３、モード４）が選択された場合、別画面を表示するようにして、検査レポートの作成有無を選択可能に提示するようにしてもよい。また、上記の別画面にて検査レポートの作成が選択された場合に、自動検品をオフにした後に出力された用紙の読み取り画像を含めた検査レポートを作成するか否か（検品されたところまでの検査レポートを作成するのか、自動検品がオフされたデータも含めた検査レポートを作成するのか）を選択可能に提示するようにしてもよい。ここで、自動検品がオフされたデータも含めた検査レポートを作成する場合は、オフされた部分に関し、実際に解析された結果ではなく、画像読取部３２でスキャンされた画像データのみが検査レポートとして表示されることとなる。一方、自動検品がオフされていない部分に関しては、画像読取部３２でスキャンされた画像データに加えて、実際に解析された結果（検査結果）が検査レポートとして残ることとなる。なお、上記の検査レポートの作成有無の選択及び検査レポート作成時の作成範囲の選択は、予め設定することが可能であり、スキップすることも可能である。また、検査レポートの作成無しが選択された場合であっても、自動検品がオフされるまでの検査レポートのみを作成する選択肢を設けるようにしてもよい。
【００７１】
上記のように、モード制御部が、自動検品をオフにした場合に、検査レポートの作成有無を選択可能に提示することで、検査レポートの作成の判断をユーザーに委ねることができるので、ユーザーの利便性を向上させることができる。
また、モード制御部が、検査レポートの作成が選択された場合に、自動検品をオフにした後に出力された用紙の読み取り画像を含めた検査レポートを作成するか否かを選択可能に提示することで、検査レポートの作成範囲の判断をユーザーに委ねることができるので、ユーザーの利便性を向上させることができる。
【００７２】
また、上記実施形態では、画像検査装置３０に画像検査制御部３１を備えるようにし、画像検査装置３０の各種制御を画像検査制御部３１により行わせるようにしているが、これに限定されるものではない。例えば、画像検査制御部３１を備えることなく、画像検査装置３０の各種制御を、画像形成装置１０の制御部１１により行わせるようにしてもよい。
【００７３】
その他、画像形成システムを構成する各装置の細部構成及び各装置の細部動作に関しても、本発明の趣旨を逸脱することのない範囲で適宜変更可能である。
【符号の説明】
【００７４】
１  画像形成システム
１０  画像形成装置
１１  制御部
１２  原稿読取部
１３  画像形成部
１３１  書込みユニット
１３２  中間転写ベルト
１３３  ２次転写ローラー
１３４  定着装置
１３５  給紙トレイ
１３６  反転経路
１４  記憶部
１５  操作部
１６  表示部
１７  通信部
２０  リレーユニット
３０  画像検査装置
３１  画像検査制御部（取込部、画像検査部、モード制御部）
３２  画像読取部
３３  記憶部
４０  パージユニット
Ｔ１  排紙トレイ
Ｔ２  パージトレイ
【図１】
2020185759.tif 000003
【図２】
2020185759.tif 000004
【図３】
2020185759.tif 000005
【図４】
2020185759.tif 000006
【図５】
2020185759.tif 000007